(57)【要約】【課題】デジタルテレビ放送で送信される付加情報をナビゲーション情報と関連付けて表示できるナビゲーション装置及び方法を提供する【解決手段】  デジタルテレビ放送の放送電波を受信する第１のアンテナと、第１のアンテナが受信した放送電波から放送された映像及び音声に付加された付加情報を取得する取得部と、衛星から送信された衛星電波を受信する第２のアンテナと、第２のアンテナが受信した衛星電波に基づいて車両が走行する走行位置を測定する測定部と、取得部が取得した付加情報から位置を表す情報を検出する検出部と、検出部が検出した位置を表す情報に基づいて、取得部が検出した付加情報と測定部が測定した走行位置に基づいて車両の運転を誘導するナビゲーション情報とを関連付けて表示する表示部とを備える。この構成によれば、付加情報を走行位置に基づいてナビゲーション情報と関連付けて表示できる。【選択図】図２
2010117188.tif 000002
【特許請求の範囲】
【請求項１】
デジタルテレビ放送の放送電波を受信する第１のアンテナと、
前記第１のアンテナが受信した放送電波から放送された映像及び音声に付加された付加情報を取得する取得部と、
衛星から送信された衛星電波を受信する第２のアンテナと、
前記第２のアンテナが受信した衛星電波に基づいて車両が走行する走行位置を測定する測定部と、
前記取得部が取得した付加情報から位置を表す情報を検出する検出部と、
前記検出部が検出した位置を表す情報に基づいて、前記取得部が検出した付加情報と、前記測定部が測定した走行位置に基づいて前記車両の運転を誘導するナビゲーション情報とを関連付けて表示する表示部とを備えることを特徴とするナビゲーション装置。
【請求項２】
前記付加情報は、前記デジタルテレビ放送された番組の内容、前記番組が開催するイベントの内容、前記番組のスポンサーが営業する施設の紹介、前記イベントの開催場所、前記番組で報道した場所、前記番組を収録した場所、及び前記施設の所在のいずれか１つ以上を表す情報であることを特徴とする請求項１に記載のナビゲーション装置。
【請求項３】
前記表示部が表示した付加情報を選択する選択操作を入力する入力部を更に備え、
前記表示部は、前記入力部が入力した選択操作が選択する付加情報から、前記検出部が検出した情報が表す位置に基づいて設定した走行経路を走行するように前記車両の運転を誘導するナビゲーション情報を表示することを特徴とする請求項１又は２に記載のナビゲーション装置。
【請求項４】
前記表示部は、前記入力部が入力した選択操作が選択する付加情報から、前記検出部が検出した情報が表す位置を目的地又は迂回地として設定した走行経路を走行するように前記車両の運転を誘導するナビゲーション情報を表示することを特徴とする請求項３に記載のナビゲーション装置。
【請求項５】
前記表示部が表示した付加情報を選択する選択操作を入力する入力部を更に備え、
前記表示部は、前記入力部が入力した選択操作が選択する付加情報が表す情報をより詳細に表す詳細情報の所在を表す所在情報を表示することを特徴とする請求項１又は２に記載のナビゲーション装置。
【請求項６】
前記表示部が表示した付加情報を選択する選択操作を入力する入力部を更に備え、
前記付加情報は、前記デジタルテレビ放送された番組のスポンサーが営業する施設の紹介及び前記施設の所在のいずれか１つ以上を表し、
前記表示部は、前記入力部が入力した選択操作が選択する付加情報に関するスポンサーの広告の所在を表す所在情報を表示することを特徴とする請求項１又は２に記載のナビゲーション装置。
【請求項７】
前記付加情報は、前記デジタルテレビ放送された番組のスポンサーが営業する施設の所在を表し、
前記検出部は、前記取得部が取得した付加情報から前記施設の所在を表す情報を検出し、
前記表示部は、前記検出部が検出した情報が表す所在と前記測定部が測定した走行位置との距離が所定の距離を下回った場合に、前記施設を強調して表示することを特徴とする請求項１又は２に記載のナビゲーション装置。
【請求項８】
前記付加情報は、前記車両が走行する道路を表す地図情報を更新するために用いる更新情報を含み、
前記検出部は、前記付加情報から前記更新情報を検出し、
前記地図情報を記憶する記憶部と、
前記記憶部が記憶する地図情報を変更する変更操作を入力する入力部と、
前記入力部が入力した変更操作に従って、前記検出部が検出した更新情報を用いて、前記記憶部が記憶する地図情報を更新する更新部と、
前記更新部が更新した前記記憶部が記憶する地図情報を用いて、前記走行経路を走行するように前記車両の運転を誘導するナビゲーション情報を生成する生成部とを更に備え、
前記表示部は、前記生成部が生成したナビゲーション情報を表示するることを特徴とする請求項１に記載のナビゲーション装置。
【請求項９】
デジタルテレビ放送の放送電波を受信する第１の受信ステップと、
前記第１の受信ステップで受信した放送電波から放送された映像及び音声に付加された付加情報を取得する取得ステップと、
ＧＰＳ衛星から送信された衛星電波を受信する第２の受信ステップと、
前記第２の受信ステップで受信した衛星電波に基づいて車両が走行する走行位置を測定する測定ステップと、
前記取得ステップで取得した付加データから位置を表す情報を検出する検出ステップと、
前記検出ステップで検出した位置を表す情報に基づいて、前記検出ステップで検出した付加データと、前記測定ステップで測定した走行位置に基づいて前記車両の運転を誘導するナビゲーション情報とを関連付けて表示する表示ステップとを備えることを特徴とするナビゲーション方法。
【発明の詳細な説明】
【技術分野】
【０００１】
本発明は、車両に搭載されるナビゲーション装置及びナビゲーション方法に関する。
【０００２】
近年、乗用車等の車両を運転する運転者等を支援するナビゲーション装置が車両に搭載されるようになった。また、ナビゲーション装置は、運転者の運転を誘導するナビゲーション情報を表示するのみならず、例えば、テレビ放送を受信すると共に、受信した放送番組を表示する機能をも有するようになった。ここで、受信可能な複数のチャンネル及び番組内容を容易に確認できるテレビジョン受像機が知られるに至った（例えば、特許文献１）。このテレビジョン受像機は、ナビゲーション装置に適用可能な受像機であって、巡回表示への動作の切り換えにより受信チャンネルを順次切り換えて受信可能なチャンネルを順次検出し、表示画面の一部領域における表示を受信可能なチャンネルによる番組の一定の時間間隔による順次循環的な表示に切り換えることを特徴とする。
【０００３】
【特許文献１】特開２００７−４３４４１号公報
【発明の開示】
【発明が解決しようとする課題】
【０００４】
ところで、今日のテレビ放送は、アナログ放送だけでなく、デジタルテレビ放送も行われている。デジタルテレビ放送は、アナログ放送と同じ電波帯域を用いてより多くの情報を送信できる。このため、デジタルテレビ放送は、映像を表す映像情報及び音声を表す音声情報のみならず、映像情報及び音声情報に付加する任意の付加情報をも送信している。
【０００５】
ここで、上記のカーナビゲーションに適用したテレビジョン受像機は、放送番組を表示できるが、放送番組の内容を効率的に表示できないという問題があった。特に、車両を運転者が運転する場合には、運転者は表示画面を注視できないため、放送番組の内容を確認することが困難であった。また、カーナビゲーション装置がナビゲーション機能を発揮している場合には、受信した放送番組の内容を表示できなかった。
【０００６】
更に、上記のテレビジョン受像機は、放送番組を表示できるが、例えば、番組の内容等を表す付加情報を表示できないという問題があった。特に、このテレビジョン受像機では、カーナビゲーションが提供する機能に関連付けて付加情報を効率的に表示する機能を発揮できなかった。具体例としては、カーナビゲーションが自車位置、目的地、又は走行経路等のナビゲーション情報を表示する場合に、表示する自車位置等に関連した付加情報を表示できないという問題があった。
【０００７】
本発明は、上記問題に鑑みて成されたものであり、その目的とするところは、デジタルテレビ放送で送信される付加情報をナビゲーション情報と関連付けて効率的に表示できるナビゲーション装置及びナビゲーション方法を提供することにある。
【課題を解決するための手段】
【０００８】
本発明に係るナビゲーション装置は、デジタルテレビ放送の放送電波を受信する第１のアンテナと、第１のアンテナが受信した放送電波から放送された映像及び音声に付加された付加情報を取得する取得部と、衛星から送信された衛星電波を受信する第２のアンテナと、第２のアンテナが受信した衛星電波に基づいて車両が走行する走行位置を測定する測定部と、取得部が取得した付加情報から位置を表す情報を検出する検出部と、検出部が検出した位置を表す情報に基づいて、取得部が検出した付加情報と、測定部が測定した走行位置に基づいて車両の運転を誘導するナビゲーション情報と、を関連付けて表示する表示部とを備えることを特徴としている。
【０００９】
上記構成において、付加情報は、デジタルテレビ放送された番組の内容、番組が開催するイベントの内容、番組のスポンサーが営業する施設の紹介、イベントの開催場所、番組で報道した場所、番組を収録した場所、及び施設の所在のいずれか１つ以上を表す情報である構成を採用できる。
【００１０】
上記構成において、表示部が表示した付加情報を選択する選択操作を入力する入力部を更に備え、表示部は、入力部が入力した選択操作が選択する付加情報から、検出部が検出した情報が表す位置に基づいて設定した走行経路を走行するように車両の運転を誘導するナビゲーション情報を表示する構成を採用できる。
【００１１】
上記構成において、表示部は、入力部が入力した選択操作が選択する付加情報から、検出部が検出した情報が表す位置を目的地又は迂回地として設定した走行経路を走行するように車両の運転を誘導するナビゲーション情報を表示する構成を採用できる。
【００１２】
上記構成において、表示部が表示した付加情報を選択する選択操作を入力する入力部を更に備え、表示部は、入力部が入力した選択操作が選択する付加情報が表す情報をより詳細に表す詳細情報の所在を表す所在情報を表示する構成を採用できる。
【００１３】
上記構成において、付加情報は、番組のスポンサーが営業する施設の紹介及び施設の所在のいずれか１つ以上を表し、表示部は、入力部が入力した選択操作が選択する付加情報に関するスポンサーの広告の所在を表す所在情報を表示する構成を採用できる。
【００１４】
上記構成において、付加情報は、デジタルテレビ放送された番組のスポンサーが営業する施設の所在を表し、検出部は、取得部が取得した付加情報から施設の所在を表す情報を検出し、表示部は、検出部が検出した情報が表す所在と測定部が測定した走行位置との距離が所定の距離を下回った場合に、施設を強調して表示する構成を採用できる。
【００１５】
上記構成において、付加情報は、車両が走行する道路を表す地図情報を更新するために用いる更新情報を含み、検出部は、付加情報から更新情報を検出し、地図情報を記憶する記憶部と、記憶部が記憶する地図情報を変更する変更操作を入力する入力部と、入力部が入力した変更操作に従って、検出部が検出した更新情報を用いて、記憶部が記憶する地図情報を更新する更新部と、更新部が更新した記憶部が記憶する地図情報を用いて、走行経路を走行するように車両の運転を誘導するナビゲーション情報を生成する生成部とを更に備え、表示部は、生成部が生成したナビゲーション情報を表示するることを特徴とする構成を採用できる。
【００１６】
本発明に係るナビゲーション方法は、デジタルテレビ放送の放送電波を受信する第１の受信ステップと、第１の受信ステップで受信した放送電波から放送された映像及び音声に付加された付加情報を取得する取得ステップと、ＧＰＳ衛星から送信された衛星電波を受信する第２の受信ステップと、第２の受信ステップで受信した衛星電波に基づいて車両が走行する走行位置を測定する測定ステップと、取得ステップで取得した付加データから位置を表す情報を検出する検出ステップと、検出ステップで検出した位置を表す情報に基づいて、検出ステップで検出した付加データと、測定ステップで測定した走行位置に基づいて車両の運転を誘導するナビゲーション情報と、を関連付けて表示する表示ステップとを備えることを特徴としている。
【発明の効果】
【００１７】
これらの構成によれば、デジタルテレビ放送で送信される付加情報を、測定した走行位置に基づいてナビゲーション情報と関連付けて効率的に表示できる。
【発明を実施するための最良の形態】
【００１８】
以下、本発明の最良の実施形態について、添付図面を参照しつつ説明する。
【実施例１】
【００１９】
図１は、本発明のナビゲーション装置を備えるナビゲーションシステム１の一実施形態を示す構成図である。
図１に示すナビゲーションシステム１は、車両１０、放送局２０、ＧＰＳ（Global Positioning System）衛星３０、基地局４１、サーバ４２、及び通信網４３で構成される。車両１０については後述する。
放送局２０は、デジタルテレビ放送（以下単に、ＤＴＶ放送という）を行う無線局である。尚、放送局２０が放送に用いる電波を放送電波という。放送局２０は、放送電波を用いて、付加情報（以下、付加データともいう）を付加した番組映像及び番組音声を送信する。
【００２０】
尚、付加情報は、番組映像及び番組音声に付加した情報をいう。本実施例において、付加情報は、例えば、デジタルテレビ放送された番組の内容、番組が開催するイベントの内容、番組のスポンサーが営業する施設の紹介、イベントの開催場所、番組で報道した場所、番組を収録した場所、及び施設の所在のいずれか１つ以上を表す情報を含むとして説明を行うが、これに限定される訳でない。例えば、付加情報は、番組で提供した音楽を説明する情報を含む構成を採用できる。
【００２１】
付加情報に含まれる番組の内容を表す情報は、例えば、ニュース番組で報道するニュースの内容、スポーツ番組で中継するスポーツの中継内容、及び天気予報番組で予報する天気を表す情報、並びに番組で紹介する音楽情報を含む。
付加情報に含まれる番組で報道した場所を表す情報は、例えば、ニュース番組で報道する事件の発生現場、スポーツ番組で中継する試合の開催場所、中継するマラソンの走路及びマラソン競技の開催に伴って封鎖された（又は交通が制限された）道路の位置を表す情報を含む。
付加情報に含まれる番組を収録した場所を表す情報は、例えば、ロケ地を表す情報を含む。
【００２２】
ＧＰＳ衛星３０は、位置を測定するために用いる衛星電波を送信する。衛星電波は、例えば、ＧＰＳ衛星３０が有する原子時計が指す時刻を表す時刻と、ＧＰＳ衛星３０の軌道を表す軌道とを表す電波である。
基地局４１は、無線端末との間で無線通信を行う。無線端末は、例えば、車両１０が搭載するカーナビゲーション装置、携帯電話、ＰＨＳ（Personal Handy-phone System）、又は無線ＬＡＮ（Local Area Network）端末を含む。
【００２３】
サーバ４２は、例えば、パーソナル・コンピュータ等の電子計算機で構成される。サーバ４２は、詳細情報及び特定情報を記憶する。詳細情報とは、付加情報が表す情報をより詳細に表す情報をいう。
【００２４】
サーバ４２は、基地局４１及び通信網４３を介して接続する端末装置から、送信要求（つまり、リクエスト）を受信すると共に、受信した要求に応じて詳細情報を送信する。具体例としては、サーバ４２は、アパッチ（Apache）等のソフトウェアを実行するＷｅｂサーバーであって、端末装置が送信したＨＴＴＰ（HyperText Transfer Protocol）リクエストを受信すると、例えば、Ｗｅｂページ等の詳細情報を端末装置へ返信する。
【００２５】
特定情報とは、デジタルテレビ放送された番組のスポンサーの広告を表す特定の情報をいう。特定情報は、具体例として、スポンサーの広告が付加された特定の画像及び特定のクーポン券を表す情報、並びに特定の駐車場情報を含む。尚、駐車場情報は、例えば、駐車場の割引券を表す情報を含む。また、特定情報は、具体例として、スポンサーであるメーカーのメーカーロゴ、又はスポンサーが行うキャンペーンのキャラクタの画像を表す画像情報を含む。尚、サーバ４２は、詳細情報と同様に、リクエストに応じて特定情報を送信する。
【００２６】
更に、サーバ４２は、所定の情報を使用する権利を付与する。尚、所定の情報は、例えば、映像又は音楽等の予め定められた情報をいう。具体例としては、サーバ４２は、端末装置から要求を受信すると、端末装置に対して所定の情報を使用する権利を有することを証明する証明情報を送信する。証明情報は、例えば、ライセンスキー、又は所定情報を複合するために用いるキーを含む。
【００２７】
更に、サーバ４２は、接続する端末装置の使用者（つまり、ユーザ）を認証（つまり、ユーザ認証）すると共に、認証したユーザに固有のサービスを提供する。ユーザに固有のサービスは、ユーザが使用するカーナビゲーション装置又はカーナビゲーション装置を搭載した車両に関する情報で定まる内容のサービスを含む。カーナビゲーション装置又は車両に関する情報は、例えば、車両又はカーナビゲーション装置の種類、年式、購入年月日を表す情報をいう。より具体的には、車両の種類で定まる内容のサービスは、ユーザが使用する車両を駐車できる広さ又は高さを有する駐車場の割引券を表す特定情報を提供するサービスを含む。また、カーナビゲーション装置の種類で定まる内容のサービスは、ユーザが使用するカーナビゲーション装置で表示できるファイル形式の画像を表す特定情報を提供するサービスを含む。また、車両及びカーナビゲーション装置の年式及び購入年月日で定まる内容のサービスは、年式及び購入年月日に基づいて耐用年数を超えた後に、車両及びカーナビゲーション装置を販売するスポンサーの新製品を通知するサービスを含む。
本実施例において、ユーザに固有のサービスは、ユーザが使用する車両又はカーナビゲーション装置に関する情報で定まる内容のサービスをいうとして説明したが、これに限定される訳ではなく、例えば、ユーザに関する情報によって定まる内容のサービスを含む構成を採用できる。尚、ユーザに関する情報は、例えば、ユーザの好み、ユーザの年齢、性別、居住地、勤務先、及び通学先を表す情報を含む。
【００２８】
具体的には、サーバ４２は、カーナビケーション装置の識別ＩＤ（IDentifier）と、カーナビケーション装置又はカーナビケーション装置を搭載した車両に関する情報、若しくはカーナビケーション装置を使用するユーザに関する情報とを関連付けて記憶する。サーバ４２は、カーナビケーション装置等の端末装置から、カーナビケーション装置の識別ＩＤを受信すると共に、受信した識別ＩＤに基づいてカーナビケーション装置又は車両に関する情報、若しくはユーザに関する情報を検索する。その後、検索した情報により定まる内容のサービスを、接続した端末装置に提供する。
【００２９】
通信網４３は、例えば、ＬＡＮ（Local Area Network ）、ＷＡＮ（Wide Area Network）、ＭＡＮ（Metropolitan Area Network）、又は公衆回線網で構成され、基地局４１及びサーバ４２とを通信可能に接続する。
【００３０】
車両１０は、例えば、乗用車、バス、及びトラック等の自動車で構成される。また、原動機付自転車、軽車両、及びトロリーバス、並びに鉄道車両で構成される実施例を採用できる。車両１０は、不図示のナビゲーション装置１００を搭載する。ナビゲーション装置１００は、船舶、航空機、並びに人工衛星、及び宇宙ステーション等の宇宙機に搭載される構成を採用できる。また、ナビゲーション装置１００は、車両又は船舶等に搭載されずに使用される構成を採用できる。
【００３１】
ここで、図２を参照して、ナビゲーション装置１００の構成について説明する。図２は、ナビゲーション装置の一構成を表すハードウェア構成図である。
図２に示すように、ナビゲーション装置１００は、デジタル放送アンテナ１１０、ＤＴＶ（Digital TeleVision）受信部１２０、ＧＰＳアンテナ１３０、カーナビゲーション部１４０、車載ＤＢ（Data Base）１５０、入力部１６０、及び表示部１７０で構成される。
【００３２】
デジタル放送アンテナ１１０は、例えば、線状アンテナ、平面アンテナ、及び立体アンテナで構成される。デジタル放送アンテナ１１０は、放送局２０が送信した放送電波を受信する。
ＤＴＶ受信部１２０は、例えば、デジタルチューナーで構成される。ＤＴＶ受信部１２０は、デジタル放送アンテナ１１０が受信した放送電波から、特定の周波数を選択的に増幅する。ＤＴＶ受信部１２０は、デジタル放送アンテナ１１０が受信した放送電波から、放送された映像及び音声、及び映像及び音声に付加された付加情報を取得する取得機能を発揮する。尚、ナビゲーション装置１００が放送番組を表示していない場合にも、デジタル放送アンテナ１１０は放送電波を受信し、ＤＴＶ受信部１２０は付加情報を取得する。この構成によれば、例えば、第三世代携帯電話であるＦＯＭＡ（Freedom Of Mobile multimedia Access）等の携帯端末を使用しなくとも、従来のＦＭ（Frequency Modulation ）多重放送に比べて大容量の情報を、デジタル放送の帯域を利用して常時受信できる。
【００３３】
ＧＰＳアンテナ１３０は、デジタル放送アンテナ１１０と同様に、例えば、線状アンテナ、平面アンテナ、及び立体アンテナで構成される。ＧＰＳアンテナ１３０は、ＧＰＳ衛星３０が送信した衛星電波を受信する。
カーナビゲーション部１４０は、ソフトウェア処理を実行することで、ＧＰＳアンテナ１３０が受信した衛星電波を用いて、カーナビゲーション部１４０を搭載した車両の走行位置を特定すると共に、特定した走行位置に基づいて車両の運転を誘導するナビゲーション情報を表示するよう表示部１７０を制御する。ナビゲーション情報は、例えば、車両が走行する走行経路及び走行方向を表す情報を含む。
【００３４】
ここで、図３を参照して、ナビゲーション部１４０がソフトウェア処理を実行するために用いるハードウェアの一構成例について説明する。図３は、ソフトウェア処理を実行するために用いるナビゲーション部１４０の一構成例を表すハードウェア構成図である。
ナビゲーション部１４０は、例えば、ＣＰＵ（Central Processing Unit）で構成される実行部１４０ａ、ＥＰＲＯＭ（Erasable Programmable Read-Only Memory）又はＥＥＰＲＯＭ（Electrically Erasable Programmable Read-Only Memory）等で構成される読出専用記憶装置１４０ｂ、ＤＲＡＭ（Dynamic  RAM）又はＳＲＡＭ（Static  RAM）等の揮発性メモリ及びＮＶＲＡＭ（Non Volatile RAM）等の不揮発性メモリで構成される読書可能記憶装置１４０ｃ、及び入出力回路で構成される入出力部１４０ｄで構成され、実行部１４０ａ、読出専用記憶装置１４０ｂ、読書可能記憶装置１４０ｃ、及び入出力部１４０ｄは互いにバスによって接続している。
【００３５】
ソフトウェア処理は、実行部１４０ａが、読出専用記憶装置１４０ｂに格納したプログラムを読み込み、読み込んだプログラムに従って演算を実行することにより実現される。なお、読書可能記憶装置１４０ｃには、演算結果のデータが書き込まれ、特にＮＶＲＡＭには、電源オフする場合にバックアップが必要なデータが保存される。また、実行部１４０ａが演算対象及び演算結果とする情報は、入出力部１４０ｄを介して接続するＤＴＶ受信部１２０、ＧＰＳアンテナ１３０、及び表示部１７０との間で入出力される。
【００３６】
ここで、図４を参照して、カーナビゲーション部１４０の構成について機能に着目して説明を行う。図４は、カーナビゲーション部１４０の一構成例を表す機能ブロック図である。
図４に示すカーナビゲーション部１４０は、測定部１４１、生成部１４２、検出部１４３、変更部１４４、及び制御部１４５で構成される。尚、ＤＴＶ受信部１３０を構成する取得部１３１は、ＤＴＶ受信部１３０が取得機能を発揮することで実現される部である。
測定部１４１は、実行部１４０ａが測定処理を実行することで実現される。測定部１４１は、ＧＰＳアンテナ１３０が受信した衛星電波に基づいて、車両が走行する走行位置を測定する。具体的には、複数のＧＰＳ衛星が送信した衛星電波が表す衛星時刻の差異と、各衛星の軌道とに基づいて走行位置を測定する。また、測定部１４１は、測定した位置の変化に基づいて、走行方向を測定する構成を採用できる。
【００３７】
生成部１４２は、実行部１４０ａが生成処理を実行することで実現される。生成部１４２は、車載ＤＢ１５０が記憶する地図情報と、測定部１４１が測定した走行位置とに基づいて、ナビゲーション情報を生成する。尚、地図情報は、車両が走行する道路を示す地図を表す情報をいう。具体例としては、生成部１４２は、測定部１４１が測定した走行位置に基づいて、走行位置から所定範囲の地理を表す地図情報を車載ＤＢ１５０から検索する。次に、生成部１４２は、検索した地図情報に、走行位置を表す情報と、目的地へ向かう経路を表す情報とを付加してナビゲーション情報を生成する。
【００３８】
検出部１４３は、実行部１４０ａが検出処理を実行することで実現される。検出部１４３は、取得部１２１が取得した付加情報から位置を表す位置情報を検出する。具体例としては、付加情報が、「東京地方は晴れ」という文字列を表す情報である場合に、検出部１４３は、「東京地方」という位置情報を検出する。より具体的な例としては、付加情報が表す文字列に対して形態素解析を行って形態素を取得する共に、取得した形態素から車載ＤＢ１５０が記憶する辞書に登録した位置情報に該当するものを位置情報として検出する。
【００３９】
他の具体例としては、例えば、検出部１４３は、制限のある道路のデータ（例えば、道路識別ＩＤ）とカーナビの経路案内とのデータが一致した際に検出する。又は、検出部１４３は、制限のある道路データと表示部１７０にて表示している地図の位置情報が一致した時に検出する。より具体的には、検出部１４３は、付加情報における所定の領域若しくは所定のデータの後又は間から、道路識別ＩＤ等の交通制限のある道路を識別する情報を抽出すると共に、抽出した情報が識別する交通制限のある道路が、目的地へ向かう経路又は表示部１７０が表示する道路を識別する情報に一致する場合又は含まれる場合に、抽出したデータを、位置を表す位置情報として検出する。
【００４０】
また、検出部１４３は、取得部１４１が取得した付加情報から、デジタルテレビ放送された番組のスポンサーを表す情報を検出する。尚、検出部１４３が付加情報からスポンサーを表す情報を検出する方法は、付加情報から位置情報を検出する方法と同様であるので、説明を省略する。
更に、検出部１４３は、取得部１４１が取得した付加情報から、車載ＤＢ１５０が記憶する地図情報を更新するために用いる更新情報を検出する。更新情報は、例えば、最新の地図情報と、そうでない地図情報との差分を表す情報である。検出部１４３は、例えば、付加情報から所定のバイナリコードで囲まれた情報又は所定のバイナリコードの後に続く情報を更新情報として検出する。
【００４１】
更新部１４４は、実行部１４０ａが更新処理を実行することで実現される。更新部１４４は、自動的に、又は入力部１６０が入力した変更操作に従って、検出部１４３が検出した更新情報を用いて、車載ＤＢ１５０が記憶する地図情報を更新する。尚、上記の様に、ナビゲーション装置１００が放送番組を表示していない場合にもデジタル放送アンテナ１１０は放送電波を受信し、ＤＴＶ受信部１２０は付加情報を取得するため、これらの構成によれば、例えば、第三世代携帯電話等の携帯端末を使用しなくとも、従来のＦＭ（Frequency Modulation ）多重放送に比べて大容量の更新情報を、デジタル放送の帯域を利用して常時受信できるため、車載ＤＢ１５０の更新が可能になる。また、実行部１４０ａの実行負荷が所定の閾値よりも低い場合に、検出部１４３が更新情報を検出し、かつ更新部１４４は車載ＤＢ１５０が記憶する地図情報を更新する構成を採用できる。この構成によれば、検出処理及び更新処理以外の処理に対する実行部１４０ａの実行速度が低下することを防止できるだけでなく、効率的に車載ＤＢ１５０を更新できる。また、この構成によれば、定期的又は所定のイベントが生じた場合に、更新する必要がある地図情報が存在するか否かを、例えば、所定のサーバに対して確認する必要が無く、ＤＴＶ放送された放送電波から、更新に用いるべき更新情報が存在するか否かを判断するだけで、地図情報を最新の状態に保つことができる。
【００４２】
制御部１４５は、実行部１４０ａが制御処理を実行することで実現される。制御部１４５は、検出部１４３が検出した位置情報に基づいて、検出部１４３が検出した付加情報と、測定部１４１が測定した走行位置に基づいて生成部１４２が生成した車両の運転を誘導するナビゲーション情報と、を関連付けて表示するよう表示部１７０を制御する。具体例としては、制御部１４５は、車両の走行経路と所定の範囲にある位置を表す位置情報を検出した付加情報を、走行経路を走行するよう誘導するナビゲーション情報と関連付けて表示するよう表示部１７０を制御する。この記載によれば、デジタルテレビ放送で送信される付加情報を、測定した走行位置に基づいてナビゲーション情報と関連付けて効率的に表示できる。
【００４３】
ここで、図５を参照して、制御部１４５が制御する表示部１７０の表示について説明する。図５は、制御部１４５が制御する表示部１７０の表示の一例を表す図である。図５（ａ）では、付加情報が番組の開催するイベント内容を表す情報である場合に、制御部１４５が制御する表示部１７０の表示の一例を表す。
図５（ａ）に示すように、制御部１４５は、走行経路から所定の範囲にある位置にある場所で開催されるイベントの内容を、例えば、字幕等のテロップ１７１（telop）で表示するよう表示部１７０を制御する。また、制御部１４５は、走行経路を表す地図に、例えば、アイコン１７２でイベントの開催場所を表示するよう表示部１７０を制御する。
これらの構成によれば、ＤＴＶの放送中に画面を注視することなく、データの受信確認ができる。つまり、放送番組を表示することなく、ナビゲーション情報と関連付けて番組の内容等を表す付加情報を効率的に表示できる。このため運転者は、画面を注視することなく番組の内容等を確認できる。
また、これらの構成によれば、能動的操作を伴う情報取得のために運転中の操作が困難な携帯端末と異なり、単純な操作で有用な情報を取得して表示できる。つまり例えば、ユーザが能動的にする操作を受けて入力した検索キーワードに基づいて情報を検索して（いわゆるＰＵＬＬ型の）表示をする携帯端末と異なり、例えば、既に入力した目的地までの走行経路と位置に基づいて関連付けた付加情報を、デジタル放送の放送電波から取得して（いわゆるＰＵＳＨ型の）表示ができる。
同様の例として、付加情報が番組のスポンサーが営業する施設の紹介を情報である場合には、紹介文をテロップ１７１で表示し、施設の場所をアイコン１７２で表示するよう制御する。尚、制御部１４５は、アイコン１７２のみを表示部１７０に表示させた後に、入力部１６０がアイコン１７２を選択する操作を入力すると、図５（ｂ）に示す様に、アイコン１７２に関するテロップ１７３をポップアップ表示する構成を採用できる。
【００４４】
また、制御部１４５は、入力部１６０から、表示部１６０が表示した付加情報を選択する選択操作を入力される。制御部１４５は、入力部１６０が入力した選択操作が選択する付加情報から、検出部１４３が検出した位置情報を生成部１４２へ出力すると共に、出力した位置情報に基づいて生成部１４２が生成したナビゲーション情報を表示するよう表示部１７０を制御する。尚、生成部１４２は、制御部１４５から取得した位置情報に基づいて設定した走行経路を走行するように車両１０の運転を誘導するナビゲーション情報を生成する。具体的には、制御部１４５から取得した位置情報が表す位置を目的地又は迂回地として設定した走行経路を走行するように車両１０の運転を誘導するナビゲーション情報を生成する。尚、具体例として、入力部１６０がタッチパネルで構成される場合には、表示部１６０が画面に表示した付加情報であるアイコン１７２の上に設置された入力部１６０をユーザがタッチすると、入力部１６０は、ユーザのタッチした位置を表す信号を制御部１４５へ入力することで、選択操作を入力する。
【００４５】
更に、制御部１４５は、入力部１６０が入力した選択操作が選択する付加情報が表す情報をより詳細に表す詳細情報の所在を表す所在情報を表示するよう表示部１７０を制御する。また、制御部１４５は、入力部１６０が入力した選択操作が選択する付加情報に関する特定情報の所在を表す所在情報を表示するよう表示部１７０を制御する。尚、本実施例において、制御部１４５は、所在情報を付加情報から抽出するとして説明を行うが、これに限定される訳ではない。
ここで、詳細情報の所在を表す情報、又は特定情報の所在を表す情報は、例えば、ＵＲＬ（Uniform Resource Locator）、又は電話番号を表す情報を含む。また、制御部１４５は、所在情報を、例えば、ＵＲＬ又は電話番号を文字として表示するよう制御する、又は、例えば、コードとして表示するよう制御する構成を採用できる。また、コードは、例えば、バーコード等の１次元コード、ＱＲコード等のマトリックス式の２次元コード、又はＰＤＦ４１７等のスタック式の２次元コードである構成を採用できる。
【００４６】
尚、ナビゲーション装置１００を使用するユーザは、例えば、表示されたＱＲコードである所在情報を携帯電話等の端末装置に読み込ませる。次に、携帯電話が、例えば、所在情報の表すＵＲＬで識別されるサーバ４２にアクセスすると共に、詳細情報又は特定情報をダウンロードして保存する。その後、ユーザは、保存した詳細情報又は特定情報を携帯電話を用いて使用する。
【００４７】
更にまた、制御部１４５は、所在情報に基づいてサーバ４２にアクセスすると共に、サーバ４２から所定の情報を使用する権利を取得する。次に、制御部１４５は、権利を取得した所定の情報を表示等するよう表示部１７０等を制御する。具体例として、取得部１２１が付加情報から取得した番組で紹介された音楽又は映像を取得した場合に、制御部１４５は、付加情報から抽出した所在情報に基づいてサーバ４２から音楽又は映像を使用する権利を取得した後に、取得した映像を表示するよう表示部１７０を制御し、取得した音楽を出力するようスピーカ等の音声出力部を制御する。
【００４８】
尚、制御部１４５は、所在情報にカーナビゲーション装置の識別ＩＤを付加して表示部１７０に表示させる構成を採用できる。具体例としては、制御部１４５は、所在情報であるＵＲＬに対して、例えば、ＰＨＰ（Hypertext Preprocessor）又はＣＧＩ（Common Gateway Interface）の引数として識別ＩＤを付加する。よって、ＱＲコード等を読み込んだ携帯電話等の端末装置は、ＵＲＬで識別されるサーバ４２に対して識別ＩＤを送信してユーザ認証を受けることができる。ユーザ認証を受けた端末装置は、認証されたユーザに固有のサービスをサーバ４２によって提供される。
【００４９】
更に、制御部１４５は、検出部１４３が検出した情報が表すスポンサーが営業するランドマークとなる施設を車載ＤＢ１５０から検索すると共に、検索した施設を表示するよう表示部１７０を制御する。具体例としては、制御部１４５は、検出部１４３が検出したスポンサーを表す情報と関連付けて車載ＤＢ１５０が保存するスポンサーの営業施設の位置を表す施設情報を検索する。次に、制御部１４５は、検索した施設情報を表示するよう表示部１７０を制御する。尚、制御部１４５は、スポンサーの施設と、自車の走行位置との距離が、所定の距離よりも短くなった場合には、スポンサーの施設及び説明のいずれか１つ以上を、例えば、ポップアップ表示する等して強調表示する。
【００５０】
また更に、制御部１４５は、付加情報を車載ＤＢ１５０に保存する。制御部１４５は、入力部１６０の操作に基づいて、保存した付加情報を図５（ｃ）に示すようなリスト表示を行うよう表示部１７０を制御する。また、制御部１４５は、車載ＤＢ１５０から、例えば、飲食店又はガソリンスタンド等の所定の施設を検索すると、検索した施設を紹介する付加情報をも検索する。次に、制御部１４５は、検索した施設を地図に表示すると共に、例えば、提供するサービス又はサービスの値段等といった施設を紹介する付加情報をも関連付けて表示するよう表示部１７０を制御する。
【００５１】
更にまた、制御部１４５は、自車位置との距離、営業時間、及び値段等を検索キーとして、車載ＤＢ１５０に保存した付加情報からユーザにとっていわゆるお得な情報を検索する。いわゆるお得な情報とは、例えば、スポンサーの営業に関連した情報であって、ユーザの利益となる情報をいう。具体例としては、いわゆるお得な情報は、割引券等の特定情報を含む。
【００５２】
車載ＤＢ１５０は、例えば、ハードディスク又は半導体メモリで構成される記憶部と、記憶部が記憶する情報を管理するＤＢＭＳ（DataBase Management System）とで構成される。車載ＤＢ１５０は、地図情報を含む上記の各種情報を記憶すると共に管理する。
入力部１６０は、例えば、タッチパネル又はメカニカルスイッチで構成される。入力部１６０は、上記各種の操作を入力する。
表示部１７０は、例えば、液晶パネル、有機ＥＬ（Electro-Luminescence）パネル、又はＣＲＴ（Cathode Ray Tube）で構成される。表示部１７０は、カーナビゲーション部１４０に制御されて、上記各種の表示を行う。
【００５３】
ここで、図６を参照して、ナビゲーション装置１００が実行する表示処理について説明する。図６は、ナビゲーション装置１００が実行する表示処理の一例を表すフローチャートである。
先ず、ナビゲーション装置１００は、デジタル放送アンテナ１１０で放送電波を受信する（ステップＳ０１）。次に、ナビゲーション装置１００は、取得部１２１で放送電波から付加情報を取得する（ステップＳ０２）。その後、ナビゲーション装置１００は、検出部１４３で付加情報から位置情報を検出する（ステップＳ０３）。次に、ナビゲーション装置１００は、ＧＰＳアンテナ１３０で衛星電波を受信する（ステップＳ０４）。その後、ナビゲーション装置１００は、測定部１４１で衛星電波を用いて走行位置を測定する（ステップＳ０５）。次に、ナビゲーション装置１００は、測定した走行位置と車載ＤＢ１５０が記憶する地図情報とを用いてナビゲーション情報を生成部１４２で生成する（ステップＳ０６）。ナビゲーション装置１００は、付加情報とナビゲーション情報とを位置に基づいて関連付けて表示部１７０で表示する（ステップＳ０７）。その後、ナビゲーション装置１００は、表示処理の実行を終了する。
【００５４】
尚、ステップＳ０２の処理が取得部１２１を実現する取得処理に相当し、ステップＳ０３の処理が検出部１４３を実現する検出処理に相当し、ステップＳ０５の処理が測定部１４１を実現する測定処理に相当し、及びステップＳ０６の処理が生成部１４２を実現する生成処理に相当する。
【００５５】
本実施例において、デジタル放送アンテナ１１０が第１のアンテナに相当し、ＧＰＳアンテナ１３０が第２のアンテナに相当する。
【００５６】
ここで、本件発明に係るナビゲーション方法は、ナビゲーション装置１００を用いて実施できる。
また、ナビゲーション装置１００が実行するプログラムは、磁気ディスクや光ディスク、半導体メモリ、その他の記録媒体に格納して配布したり、ネットワークを介して配信したりすることにより提供できる。
更に、ナビゲーション装置１００がソフトウェア処理を実行することで実現する機能の一部又は全部は、ハードウェア回路を用いて実現することができる。逆に、制御装置１２０がハードウェア回路を用いて実現する機能の一部又は全部は、ソフトウェア処理を実行することで実現することができる。
【００５７】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００５８】
【図１】本発明のナビゲーション装置を備えるナビゲーションシステムの一実施形態を示す構成図である。
【図２】ナビゲーション装置の一構成を表すハードウェア構成図である。
【図３】ソフトウェア処理を実行するために用いるナビゲーション部の一構成例を表すハードウェア構成図である。
【図４】カーナビゲーション部の一構成例を表す機能ブロック図である。
【図５】制御部が制御する表示部の表示の一例を表す図である。
【図６】ナビゲーション装置が実行する表示処理の一例を表すフローチャートである。
【符号の説明】
【００５９】
１…ナビゲーションシステム      １０…車両                      
２０…放送局                    ３０…ＧＰＳ衛星                
４１…基地局                    ４２…サーバ                    
１００…ナビゲーション装置      １１０…デジタル放送アンテナ    
１２０…ＤＴＶ受信部            １２１…取得部                  
１３０…ＧＰＳアンテナ          １４０…カーナビゲーション部    
１４０ａ…実行部（ＰＣＵ）      １４０ｂ…読出専用記憶装置      
１４０ｃ…読書可能記憶装置      １４０ｅ…入出力部              
１４１…測定部                  １４２…生成部                  
１４３…検出部                  １４４…変更部                  
１４５…制御部                  １５０…車載ＤＢ                
１６０…入力部                  １７０…表示部                  
１７１…テロップ                １７２…アイコン                
【図１】
2010117188.tif 000003
【図２】
2010117188.tif 000004
【図３】
2010117188.tif 000005
【図４】
2010117188.tif 000006
【図５】
2010117188.tif 000007
【図６】
2010117188.tif 000008